(57)【要約】【課題】  本発明は、少なくとも３つの構成部を有する映像再生システムにおいて、構成部で用いる言語を１つの動作のみで再設定できる方案を提供する。【解決手段】  本発明に係るシステム設定を処理する方法は、少なくとも２つ以上の異なる映像ソースから映像信号を伝送され処理を行なうためにメイン制御部を含む少なくとも２つの制御部を有する統合システムにおいて、メイン制御部が制御部について共通する設定項目を含むメニュー画面を出力するステップと、メイン制御部がユーザにより選択された設定内容を１つの動作で制御部に伝送するステップと、制御部がそれぞれ設定内容の通りにシステムを設定するステップと、を含む。【選択図】  図３
2005260924.tif 000002
【特許請求の範囲】
【請求項１】
少なくとも２つ以上の異なる映像ソースから映像信号を伝送され処理を行なうためにメイン制御部を含む少なくとも２つの制御部を有する統合システムにおいて、
前記メイン制御部が前記制御部について共通する設定項目を含むメニュー画面を出力するよう制御するステップと、
前記メイン制御部が前記ユーザにより選択された設定内容を１つの動作で前記制御部に伝送するよう制御するステップと、
前記制御部がそれぞれ前記設定内容の通りにシステムを設定するよう制御するステップと、
を含むことを特徴とするシステム設定を処理する方法。
【請求項２】
前記共通する設定項目は、言語設定を含むことを特徴とする請求項１に記載のシステム設定を処理する方法。
【請求項３】
前記統合システムはＤＶＤＰおよびＳＴＢを含んでなることを特徴とする請求項２に記載のシステム設定を処理する方法。
【請求項４】
前記共通する設定項目は、少なくとも１つの言語が含まれたサブメニューを前記制御部に伝達することを特徴とする請求項２に記載のシステム設定を処理する方法。
【請求項５】
前記優先順位により選択された言語がサブメニューを表す言語として設定されることを特徴とする請求項４に記載のシステム設定を処理する方法。
【請求項６】
前記ナビゲーションキーを操作することにより設定すべき言語を選択することを特徴とする請求項５に記載のシステム設定を処理する方法。
【請求項７】
前記優先順位により選択された言語が前記各制御部の共通項目として設定されることを特徴とする請求項４に記載のシステム設定を処理する方法。
【請求項８】
前記言語を変更する場合、前記言語を再設定することを特徴とする請求項４に記載のシステム設定を処理する方法。
【請求項９】
少なくとも２つ以上の異なる映像ソースから映像信号を伝送され処理を行なうためにメイン制御部と少なくとも１つのサブ制御部から構成された制御部を有する統合システムにおいて、
前記第１映像ソースから伝送される信号を処理するメイン制御部と、
第２映像ソースから伝送される信号を処理するサブ制御部と、
を含んでなり、
前記メイン制御部は前記制御部について共通する設定項目を含むメニュー画面を出力し、前記ユーザにより選択された設定内容の通りに設定すると同時に、前記設定内容を１つの動作として前記サブ制御部に伝送し、前記サブ制御部は前記設定内容の通りに設定することを特徴とする統合システム。
【請求項１０】
前記共通する設定項目は言語設定を含むことを特徴とする請求項９に記載の統合システム。
【請求項１１】
前記統合システムはＤＶＤＰおよびＳＴＢを含んでなることを特徴とする 請求項９に記載の統合システム。
【請求項１２】
前記共通する設定項目は、少なくとも１つの言語が含まれたサブメニューを前記制御部に伝達することを特徴とする請求項１０に記載の統合システム。
【請求項１３】
前記優先順位により選択された言語がサブメニューを表す言語として設定されることを特徴とする請求項１２に記載の統合システム。
【請求項１４】
前記優先順位により選択された言語が前記各制御部の共通項目として設定されることを特徴とする請求項１３に記載の統合システム。
【発明の詳細な説明】
【技術分野】
【０００１】
本発明は、コンビネーションシステムを構成している装置において用いられる言語の設定方案に関し、詳細にはコンビネーションシステムを構成している装置で用いられる言語を統合し管理する装置およびその方法に関する。
【背景技術】
【０００２】
一般に、２つ以上の異なる装置が１つの統合されたシステムで連結されたものをコンビネーションシステム（ｃｏｍｂｉｎａｔｉｏｎ  ｓｙｓｔｅｍ）、あるいはコンボシステム（ｃｏｍｂｏ―ｓｙｓｔｅｍ）といい、これを略語にしてコンボ（ｃｏｍｂｏ）という。前記コンボシステムの一例としてＤＶＤＰの機能とＶＣＲの機能を複合的に行なえるように開発されたＤＶＤＰ／ＶＣＲコンボシステムがある。
【０００３】
図１は係るＤＶＤＰ／ＶＣＲコンボシステム、およびそれに接続される周辺装置を概略的に示した図である。前記ＤＶＤＰ／ＶＣＲコンボシステム１００は、磁気テープに記録された映像と音響を再生する機能、および外部から受信された信号を磁気テープに記録する機能といった一般的なＶＣＲ機能を行なうＶＣＲ部１１０、およびＤＶＤ（ｄｉｇｉｔａｌ  ｖｉｄｅｏ  ｄｉｓｋ）に記録された映像と音響を再生する機能といった一般のＤＶＤＰ機能を行なうＤＶＤＰ部１２０を備えている。ＤＶＤＰ／ＶＣＲコンボシステム１００は、ＶＣＲ部１１０およびＤＶＤＰ部１２０の独立的な機能以外にもＤＶＤＰ部１２０で再生した映像および音響をＶＣＲ部１１０の磁気テープに記録することができる長所を有している。
【０００４】
前記ＤＶＤＰ／ＶＣＲコンボシステム１００は、ＤＶＤＰ部１２０あるいはＶＣＲ部１１０で再生した映像および音響を出力するための周辺装置としてＴＶ１５０が接続されており、ＤＶＤＰ１２０で再生した音響を出力するための周辺装置としてオーディオアンプ１４０が接続されている。さらに、ＤＶＤＰ／ＶＣＲコンボシステム１００にはカムコーダーのような外部機器１６０が接続されることができ、ＤＶＤＰ／ＶＣＲコンボシステム１００はこのような外部機器１６０から映像および音響を入力され記録／再生などを行なう。
【０００５】
前記ＤＶＤＰ／ＶＣＲコンボシステム１００を構成しているＶＣＲ部１１０およびＤＶＤＰ部１２０は外形的には１つのシステムとして存在し、ユーザはリモコン１３０といった入力装置またはＤＶＤＰ／ＶＣＲコンボシステム１００の前面に備えられた操作パネル（図示せず）を操作することにより、ＶＣＲ部１１０とＤＶＤＰ部１２０との間のモードの切り替え、および各装置１１０，１２０の個別的な機能を操作できる。
【０００６】
図２は本発明に係るコンボシステム、特にＤＶＤＰとＶＣＲの機能が行なえるＤＶＤＰ／ＶＣＲコンボシステム１００の細部構成を示したブロック図である。
【０００７】
ＤＶＤＰ／ＶＣＲコンボシステム１００は、一般のＶＣＲ機能を行なうＶＣＲ部１１０、一般のＤＶＤＰの機能を行なうＤＶＤＰ部１２０、ＶＣＲ部１１０とＤＶＤＰ部１２０から出力された信号に対する選択動作を行なう選択部１７０、カムコーダーのような外部機器から入力される信号を選択部１７０に提供する入力部１８５、ＶＣＲ部１１０とＤＶＤＰ部１２０から出力される信号をＴＶあるいはアンプのような周辺装置に提供する出力部１８０、およびＶＣＲ部１１０とＤＶＤＰ部１２０から出力される映像信号にＯＳＤ（ｏｎ  ｓｃｒｅｅｎ  ｄｉｓｐｌａｙ）機能を行なうＯＳＤブロック１７５などを備えている。
【０００８】
ＶＣＲ部１１０は、磁気テープに信号を記録したり磁気テープに記録された信号を再生するＶＣＲデッキ部１１１、ＶＣＲデッキ部１１１について記録されるべき、または再生されるビデオおよびオーディオ信号の送受信を行なうビデオブロック１１２、およびオーディオブロック１１３、ＶＣＲデッキ部１１１、ビデオブロック１１２、オーディオブロック１１３の全般的な動作を制御するＶＣＲ制御部１１４などを備えている。さらに、ＶＣＲ部１１０は、その動作と制御、設定モードのような状態をユーザに知らせるため外部に表示するディスプレー１１６、ユーザから各種の操作命令を入力されるための操作パネル１１７、リモコン１３０を介してユーザから操作命令を入力されるためのリモコンセンサー１１８などが備えられている。
【０００９】
ＤＶＤＰ部１２０は、ＤＶＤデッキ１２１、ＤＶＤサーボ１２２、ＤＶＤ制御部１２３、およびＤＶＤエンコーダー１２４などからなっている。ＤＶＤデッキ１２１はＤＶＤに対する再生動作を行なうためにＤＶＤに記録されたデータを読み込む。ＤＶＤサーボ１２２はＤＶＤデッキ１２１の位置制御および速度制御などを行なう。ＤＶＤエンコーダー１２４はＤＶＤ制御部１２３を介してＤＶＤデッキ１２１が読み込んだデータを受けてＤＶＤ映像データとＤＶＤ音響データとを出力する。ＤＶＤ制御部１２３は、ＤＶＤデッキ１２１、ＤＶＤサーボ１２２、ＤＶＤエンコーダー１２４の全般的な動作を制御する。
【００１０】
さらに、ＤＶＤＰ部１２０はマクロビジョン信号を検出するためのマクロビジョン検出部１２６を含む。マクロ部ビジョン検出部１２６はマクロビジョンプロテクションを有するＤＶＤを再生あるいは複写する場合、ＤＶＤデッキ１２１で読み取ったデータの中でマクロビジョン信号を検出しＤＶＤ制御部１２３に提供する。ＤＶＤ制御部１２３は検出されたマクロビジョン信号をＶＣＲ制御部１１４へ伝達する。
【００１１】
後述のＤＶＤ制御部１２３とＶＣＲ制御部１１４は検出されたマクロビジョン信号に応じて連動されＤＶＤＰ部１２０とＶＣＲ部１１０を制御する信号を発生する。
【００１２】
選択部１７０にはＤＶＤエンコーダー１２４の出力、ビデオブロック１１２とオーディオブロック１１３の出力、および入力部１８５からの信号などが入力される。選択部１７０はＶＣＲ制御部１１４およびＤＶＤ制御部１２３により制御され入力された信号に対する選択動作を行ない、選択部１７０の出力はＯＳＤブロック１７５および出力部１８０へと入力される。ＯＳＤブロック１７５は選択部１７０から入力された信号にＯＳＤ機能を付加する機能を行なう。従って、ＤＶＤＰ部１２０およびＶＣＲ部１１０の動作制御のためのメニューおよびマクロビジョンエラーメッセージのようにＴＶ画面に出力される映像に付加される映像はＯＳＤブロック１７５により製造される。
【００１３】
出力部１８０は、ＤＶＤエンコーダー１２４、選択部１７０、およびＯＳＤブロック１７５から信号を受信し、ＤＶＤ映像、ＤＶＤ音響、ＶＣＲ映像、ＶＣＲ音響に関する信号を出力する。出力部１８０にはＴＶまたは音響機器のような周辺装置が接続されており、これによって周辺装置に映像と音響が出力される。
【００１４】
入力部１８５は選択部１７０に接続され、外部から入力される信号を選択部１７０に伝達する。カムコーダーのような外部機器の信号出力端子は入力部１８５に接続される。従って、外部機器に記録されている信号は入力部１８５を介してコンボシステム１００に伝送されることができ、さらにこれをＶＣＲ部１１０を用いて磁気テープに記録するかＴＶモニターを介して再生できる。
【００１５】
図１ないし図２はＶＣＲ部とＤＶＤＰ部から構成されたコンボシステムを説明するための図である。しかし、デジタル地上波ＴＶ（ｄｉｇｉｔａｌ  ｔｅｒｒｅｓｔｒｉａｌ  ｔｅｌｅｖｉｓｉｏｎ：ＤＴＴ）放送を受信するためのセットトップボックス（ｓｅｔ  ｔｏｐ  ｂｏｘ：ＳＴＰ）部を含むコンボシステムが開発されている。以下、ＤＴＴ放送を受信するためのＳＴＢをＤＴＴと称する。一般に前記コンボシステムを構成しているＶＣＲ部のメニューを再設定する場合、ユーザは入力装置を用いて前記ＶＣＲ部のメニューを再設定する。前記コンボシステムを構成しているＤＶＤＰのメニューを再設定しようとする場合、前記ユーザは入力装置を用いて前記ＤＶＤＰのメニューを再設定する。前記ＳＴＰのメニューを再設定しようとする場合にも同じ方法で行なわれる。しかし、前記コンボシステムは各構成について共通するメニューに対しては１つの動作のみで前記構成のメニューを再設定しなければならない。従って、１つの動作のみで前記ＶＣＲのメニューとＤＶＤＰのメニュー、ＤＴＴのメニューを再設定する方案が求められる。
【発明の開示】
【発明が解決しようとする課題】
【００１６】
本発明は前述した問題点を解決するために案出されたもので、本発明の目的は、１つの動作のみでコンボシステムを構成している構成部で用いる言語を制御する方案を提供することにある。
【００１７】
さらに、１つの動作のみでコンボシステムを構成している構成部で用いる言語を制御することによりコンボシステムの操作回数を最小化できる方案を提供することにある。
【課題を解決するための手段】
【００１８】
本発明の目的を達成するために、少なくとも２つ以上の異なる映像ソースから映像信号を伝送され処理を行なうためにメイン制御部を含む少なくとも２つの制御部を有する統合システムにおいて、前記メイン制御部が前記制御部について共通する設定項目を含むメニュー画面を出力するステップと、前記メイン制御部が前記ユーザにより選択された設定内容を１つの動作で前記制御部に伝送するステップと、前記制御部がそれぞれ前記設定内容の通りにシステムを設定するステップと、を含むシステム設定を処理する方法である。
【００１９】
本発明の目的を達成するために、少なくとも２つ以上の異なる映像ソースから映像信号を伝送され処理を行なうためにメイン制御部と少なくとも１つのサブ制御部から構成された制御部を有する統合システムにおいて、前記第１映像ソースから伝送（ｔｒａｎｓｆｅｒ）される信号を処理するメイン制御部と、第２映像ソースから伝送される信号を処理するサブ制御部と、を含んでなり、前記メイン制御部は前記制御部について共通する設定項目を含むメニュー画面を出力し、前記ユーザにより選択された設定内容の通りに設定すると同時に、前記設定内容を１つの動作として前記サブ制御部に伝送し、前記サブ制御部は前記設定内容の通りに設定することを特徴とする。
【発明の効果】
【００２０】
本発明によると、１つのキー操作で映像再生システムを構成している構成部で用いる言語を全て制御することができる。従って、前記映像再生システムを使用するユーザは不要な動作を最小化することができる。
【発明を実施するための最良の形態】
【００２１】
以下、添付の図面を参照して本発明の好適な実施例を詳述する。
【実施例】
【００２２】
図３は本発明に係るＶＣＲ部とＤＶＤ部、ＳＴＢ部を含んでいるコンボシステムの構成を示している。本願発明の一例としてはＶＣＲ部とＤＶＤＰ部、ＳＴＢ部から構成されたコンボシステムについて述べるがこれに限るものではない。即ち、少なくとも２つの映像ソースから映像信号を受信し再生する装置のすべてがこれに含まれる。
【００２３】
前記ＳＴＢは、ケーブルあるいは衛星放送などを受信するため家庭にあるＴＶへ接続させる装置である。前記ＳＴＢはアンテナから受信された映像信号を増幅させたりノイズを除去し、ユーザが望むチャネルに合わせて当該の映像信号をＴＶに送出する機能を有している。
【００２４】
図３は本発明の一実施形態に係るコンボシステムのブロック図である。同図を参照すると、コンボシステムはＤＴＴ（Ｄｉｇｉｔａｌ  Ｔｅｒｒｅｓｔｒｉａｌ  Ｔｅｌｅｖｉｓｉｏｎ）部３００、ＤＶＤＰ（Ｄｉｇｉｔａｌ  Ｖｉｄｅｏ  Ｄｉｓｋ  Ｐｌａｙｅｒ）部３２０、およびＶＣＲ（Ｖｉｄｅｏ  Ｃａｓｓｅｔｔｅ  Ｒｅｃｏｒｄｅｒ）部３４０を備える。
【００２５】
ＤＴＴ部３００は、外部から入ってくるデジタル放送信号を選局して復調する、デジタル放送受信用セットボックスである。ＤＶＤＰ部３２０は、ＣＤ（Ｃｏｍｐａｃｔ  Ｄｉｓｋ）、ＤＶＤのような光記録媒体に映像データを記録したりその記録媒体に記録された映像データを再生する記録／再生装置である。
【００２６】
ＶＣＲ部３４０は、ＶＣＲテープのような磁気記録媒体に映像データを記録したりその記録媒体に記録された映像データを再生する記録／再生装置である。さらに、ＶＣＲ部３４０は外部から入ってくるアナログ放送信号を選局して復調する機能をも行なえる。
【００２７】
ＤＴＴ部３００、ＤＶＤＰ部３２０、ＶＣＲ部３４０は１つのケースに一体化されている。従って、コンボシステムは外形的にみると１つの機器である。これによりコンボシステムではユーザ入力装置と外部装置連結端子とを統合的に具現することができる。
【００２８】
コンボシステムに備えられたＤＴＴ部３００、ＤＶＤＰ部３２０、およびＶＣＲ部３４０は、それぞれ個別的に機能できるのは勿論、相互連結され複合的に機能することもできる。複合的機能の一例として、ＤＴＴ部３００で受信されたデジタル放送信号をＤＶＤＰ部３２０やＶＣＲ部３４０に記録する場合、またはＤＶＤＰ部３２０で再生される映像データをＶＣＲ部３４０に記録する場合、などが挙げられる。
【００２９】
さらに、コンボシステムはＴＶやカムコーダーのような外部機器と接続できる。この場合、コンボシステムは受信した放送信号や再生された映像信号を外部機器に出力できる。さらに、外部機器から出力された映像信号を入力し記録することもできる。
【００３０】
一方、コンボシステムにおいて、前述したＤＴＴ部３００、ＤＶＤＰ部３２０、およびＶＣＲ部３４０をすべて備える必要はない。前述した各部３００、３２０、３４０をコンボシステムに結合／分離自在に具現し、ユーザの選択や必要に応じて各部３００、３２０、３４０を選択的に備えることができるよう具現できる。
【００３１】
一例として、デジタル放送受信用ＴＶを保有しているユーザにはＤＴＴ部３００が要らない。従って、この場合にはＤＴＴ部３００のないコンボシステムが具現される。
【００３２】
以下、前述したＤＴＴ部３００、ＤＶＤＰ部３２０、およびＶＣＲ部３４０について詳説する、まず、ＤＴＴ部３００につき説明する。
【００３３】
ＤＴＴ部３００は、チューナ３０２、復調部３０４、デコーダー３０６、ＤＴＴ制御部３０８、ＤＴＴメモリ部３１０、およびメニュー格納部３１２を備える。
【００３４】
チューナ３０２は、地上波、衛星、ケーブルなどから流入される複数のデジタル放送信号のなかでユーザが選んだチャネルを選局する。
【００３５】
復調部３０４は、チューナ３０２から出力されるデジタル放送信号を復調する。そして、復調された放送信号をビデオ信号、オーディオ信号、および放送情報信号に逆多重化（ｄｅｍｕｌｔｉｐｌｅｘｉｎｇ）する。
【００３６】
デコーダー３０６は、逆多重化されたビデオ信号、オーディオ信号、および放送情報信号を復号化する。復調部３０４から出力されるビデオ信号とオーディオ信号は、所定のフォーマットで圧縮された信号である。従って、デコーダー３０６は圧縮されたビデオ信号とオーディオ信号とを伸張して出力する。なお、圧縮されたビデオ信号とオーディオ信号はＭＰＥＧ（Ｍｏｖｉｎｇ  Ｐｉｃｔｕｒｅ  Ｅｘｐｅｒｔｓ  Ｇｒｏｕｐ）フォーマットが一般的である。
【００３７】
デコーダー３０６から出力されるビデオ信号とオーディオ信号はＤＴＴ変換部（図示せず）を介して、ＴＶのような外部機器で再生可能なフォーマットに変換される。さらに、デコーダー３０６は後述するＤＴＴメニュー格納部３１２に圧縮され格納されたＧＵＩ（Ｇｒａｐｈｉｃ  Ｕｓｅｒ  Ｉｎｔｅｒｆａｃｅ）データを伸張して出力する。
【００３８】
ＤＴＴ制御部３０８はＤＴＴ部３００の全般的な動作を制御する。特に、ＤＴＴ制御部３０８は、チューナ３０２の選局動作とデコーダーの復号化動作などを制御する。そして、ＤＴＴ制御部３０８は後述するＶＣＲ制御部３４８と通信可能に接続され、ＶＣＲ制御部３４８の制御に拘束され動作する。
【００３９】
ＤＴＴメモリ部３１０には、ＤＴＴ制御部３０８に必要な駆動プログラム、及び応用プログラムと、電源が消えても残すべき重要なデータが格納される。ＤＴＴメニュー格納部３１２にはＧＵＩ環境の構築に必要なメニュー画面のようなＧＵＩデータなどが格納される。必要に応じて（例えば、データの容量が大きい場合）、ＧＵＩデータは所定のフォーマットで圧縮され格納されることができる。この際、圧縮フォーマットとしてＭＰＥＧフォーマットやＪＰＥＧ（Ｊｏｉｎｔ  Ｐｈｏｔｏｇｒａｐｈｉｃ  Ｅｘｐｅｒｔ  Ｇｒｏｕｐ）フォーマットが適用され得る。
【００４０】
ＤＶＤＰ部３２０について詳説すると次の通りである。
【００４１】
ＤＶＤＰ部３２０は、ＤＶＤ  ＣＯＤＥＣ（ＣＯｒｄｅｒ／ＤＥＣｏｄｅｒ）３２２、ＤＶＤ信号処理部３２４、ＤＶＤデッキ部３２６、ＤＶＤ制御部３２８、ＤＶＤメモリ部３３０、およびＤＶＤ／ＶＣＲメニュー格納部３３２を備える。
【００４２】
ＤＶＤデッキ部３２６は、挿入されたＣＤ，ＤＶＤにデータを記録するか、記録されたデータを読み込む。ＤＶＤ信号処理部３２４はＤＶＤデッキ部３２６に印加すべき記録対象データやＤＶＤデッキ部３２６から印加された再生対象データについてエラー訂正などの信号処理を行なう。
【００４３】
ＤＶＤ  ＣＯＤＥＣ３２２は、印加される記録対象データを所定のフォーマットの信号に圧縮しＤＶＤ信号処理部３２４へ印加する。一方、ＤＶＤ  ＣＯＤＥＣ３２２はＤＶＤ信号処理部３２４から再生対象データを印加されれば、これを伸張して出力する。この際、圧縮フォーマットとしてＭＰＥＧフォーマットが適用される。ＤＶＤ  ＣＯＤＥＣ３２２から出力された伸張されたデータはＤＶＤ返還部（図示せず）を介して、ＴＶのような外部機器で再生可能なフォーマットに変換される。さらに、ＤＶＤ  ＣＯＤＥＣ３２２は後述するＤＶＤ／ＶＣＲメニュー格納部３３２に圧縮され格納されたＧＵＩデータを伸張し出力する。
【００４４】
ＤＶＤ制御部３２８はＤＶＤＰ部３２０の全般的な動作を制御する。具体的に、ＤＶＤ制御部３２８はＤＶＤ  ＣＯＤＥＣ３２２の圧縮／伸張動作、ＤＶＤ信号処理部３２４の信号処理動作、ＤＶＤデッキ部３２６の記録／再生動作などを制御する。そして、ＤＶＤ制御部３２８は後述するＶＣＲ制御部３４８と通信可能に接続され、ＶＣＲ制御部３４８の制御に拘束され動作する。
【００４５】
ＤＶＤメモリ部３３０には、ＤＶＤ制御部３２８に必要な駆動プログラム、及び応用プログラムと、電源が切られても保管すべき重要なデータが格納される。
【００４６】
ＤＶＤ／ＶＣＲメニュー格納部３２２にはＤＶＤＰ部３２０と関連付けられているＧＵＩデータが格納され、ＶＣＲ部３４０と関連したＧＵＩデータと共に格納される。必要に応じてそれぞれのＧＵＩデータは所定のフォーマットで圧縮され格納されることができ、圧縮フォーマットとしてＭＰＥＧフォーマット、ＪＰＥＧフォーマットなどが適用される。
【００４７】
ＶＣＲ部３４０に対する具体的な説明は次の通りである。
【００４８】
ＶＣＲ部３４０はアナログ放送受信部３４２、映像信号スイッチ部３４４、入出力端子部３４６、ＶＣＲ信号処理部３５２、ＶＣＲデッキ部３５４、ＶＣＲ制御部３４８、ＶＣＲメモリ部３５０、および操作部３５６を備えてなる。
【００４９】
アナログ放送受信部３４２は、外部から入ってくる複数のアナログ放送信号のなかユーザが選択したチャネルを選局し、選局された放送信号を復調して出力する。ＶＣＲデッキ部３５４は挿入された磁気テープにデータを記録したり、記録されたデータを読み込む。
【００５０】
ＶＣＲ信号処理部３５２は、ＶＣＲデッキ部３５４に印加すべき記録対象データを磁気テープに記録可能なフォーマットに変換する。さらに、ＶＣＲ信号処理部３５２はＶＣＲデッキ部３５４から印加された再生対象データをＴＶのような外部機器で再生可能なフォーマットに変換する。
【００５１】
映像信号スイッチ部３４４は、ＤＴＴ部３００、ＤＶＤ部３２０、アナログ放送受信部３４２、およびＶＣＲ信号処理部３５２から出力される映像信号を選択的に入出量端子部３４６に伝達する。さらに、映像信号スイッチ部３４４は、入出力端子部３４６を介して外部機器から伝達される映像信号をＤＶＤＰ部３２０およびＶＣＲ信号処理部３５２に選択的に伝達する。
【００５２】
映像信号スイッチ部３４４はマルチプレックス機能を行なうＭＵＸ  ＩＣで具現できる。そして、映像信号スイッチ部３４４はＶＣＲ制御部３４８の制御により、前述のような映像信号の伝達経路を設定する。
【００５３】
入出力端子部３４６は映像信号スイッチ部３４４から出力される映像信号を外部機器に伝達し、外部機器から出力される映像信号を映像信号スイッチ部３４４に伝達する。
【００５４】
ＶＣＲ制御部３４８は操作部３５６を介して入力されるユーザの操作命令に応じて、コンボシステムの全般的な動作を制御する。そして、ＶＣＲ制御部３４８はＤＴＴ制御部３０８、ＤＶＤ制御部３２８と通信可能に接続され、これらの制御動作を制御する。従って、ＶＣＲ制御部３４８はコンボシステムの主な機能を担当するメイン制御部として動作する。
【００５５】
ユーザの操作命令がＶＣＲ部３４０の動作と関連した場合、ＶＣＲ制御部３４８はそれに応じてＶＣＲ部３４０の動作を制御する。具他的に、ＶＣＲ制御部３４８はアナログ放送受信部３４２の受信動作、映像信号スイッチ部３４４のスイッチ動作、ＶＣＲ信号処理部３５２の信号処理動作、ＶＣＲデッキ部３５４の記録／再生動作などを制御する。
【００５６】
一方、ユーザの操作命令がＤＴＴ部３００やＤＶＤＰ部３２０の動作と関連した場合、ＶＣＲ制御部３４８はその操作命令をＤＴＴ制御部３０８やＤＶＤ制御部３２８に伝達する。すると、操作命令を伝達されたＤＴＴ制御部３０８やＤＶＤ制御部３２８はそれに応じて制御動作を行う。
【００５７】
ＶＣＲメモリ部３５０には、ＶＣＲ制御部３４８に必要な駆動プログラム、及び応用プログラムと、電源が切られても保管すべき重要なデータが格納されると共に、コンボシステムの総括的な機能や複合的な機能に関連したプログラムが格納される。
【００５８】
操作部３５６は、コンボシステムの機能選択および動作制御と関連して操作命令を入力されるためのユーザインタフェース装置である。操作部３５６はコンボシステムの前面部に備えられることが一般的である。その他、操作部３５６はユーザの操作命令を入力するためのリモコンやリモコンの出力信号をＶＣＲ制御部３４８に伝達するリモコン受信部で具現されることができる。
【００５９】
図４は前記コンボシステム操作部の一例であるリモコンを示している。前記リモコンは特定情報を前記コンボシステムに伝達するためのキーボタンを備えている。同図に示しているキーボタン以外に、ユーザが設定したキーボタンが前記リモコンに加えられることは自明である。以下、同図に示しているキーボタンのなか本発明と関したキーボタンについて詳説する。
【００６０】
キーボタン４００は、前記コンボシステムを構成している装置へ接続し、接続された装置を制御するためのキーボタンである。前記キーボタン４００の中のＤＶＤボタンを操作すると、前記リモコンはＤＶＤを制御する。前記キーボタン４００の中のＶＣＲボタンを操作すると、前記リモコンはＶＣＲを制御する。前記キーボタン４００の中のＤＴＴボタンを操作すると、前記リモコンはＤＴＴを制御する。前記キーボタン４００の中のＴＶボタンを操作すると、前記リモコンはＴＶを制御する。
【００６１】
メニューキー４０２については後述する。ナビゲーションキー４０４はメニュー案内リスト画面に分類され、リストされたメニューに対するカーソルの移動を支持するために用いられる左・右、上・下を示した方向キーである。以下、本発明に係る１つのキー操作で前記コンボシステムを構成している全ての装置を制御する方法につき詳説する。特に、図５、図６を用いて各装置で用いられる言語を統合して設定する方法を提案する。
【００６２】
一般に、コンボシステムのユーザは１つの言語のみを用いてＶＣＲ部、ＤＶＤＰ部、ＤＴＴ部のメニューを制御する。この場合、各装置で使用する言語を設定すると、前記コンボシステムを構成する装置の個数が増加されるほど言語設定過程も増加される。
【００６３】
図５は前記リモコンメニューキー４０２を操作した場合の画面が示されている。前記ユーザによりメニューキー４０２を操作すると、「ＳＥＴＵＰ」、「ＤＶＤ」、「ＶＲＣ」、「ＤＴＴ」、「ＰＲＯＧ」などのメニューが画面に表示される。前記コンボシステムを構成する装置の個数が増加すると、前記画面に表示されるメニューの個数も増加する。
【００６４】
前記ユーザが「ＳＥＴＵＰ」を選択すると、前記「ＳＥＴＵＰ」に対するサブメニューが表示される。前記ユーザがナビゲーションキー４０２内に位置する「ＯＫ」キーを操作することで、前記「ＳＥＴＵＰ」を選択できる。前記「ＳＥＴＵＰ」のサブメニューには「Ｌａｎｇｕａｇｅ」、「Ｃｌｏｃｋ」、「Ｉｎｓｔａｌｌ」、「Ｕｓｅｒ  Ｓｅｔ」、「Ａｕｔｏ  Ｐｏｗｅｒ  Ｏｆｆ」、「Ｓｃｒｅｅｎ  Ｍｅｓｓａｇｅｓ」などが含まれる。
【００６５】
前記「Ｌａｎｇｕａｇｅ」は、前記コンボシステムを構成している各装置のメニューを示すために用いられる言語を意味する。前記「Ｃｌｏｃｋ」は、前記コンボシステムに設けられている時間に関する情報を意味する。前記時間に関する情報は、年、月、日、時間、曜日などが含まれる。下記の表１は前記「ＳＥＴＵＰ」を構成しているサブメニューと各サブメニューに対するサブメニュー項目である。
【００６６】
【表１】
2005260924.tif 000003
【００６７】
前記表１に記載されているサブメニューについては、本願の発明と関わりのないため詳細な説明は除く。図５に示したように、「Ｌａｎｇｕａｇｅ」は「Ｅｎｇｌｉｓｈ」で設定されている。従って、同図に示したよう、全てのメニュー／サブメニューが英語で示される。前記「ＳＥＴＵＰ」から設定した「Ｌａｎｇｕａｇｅ」に関する情報は、「ＤＶＤ」、「ＶＣＲ」、「ＤＴＴ」にも同一に適用される。前記コンボシステムのユーザが「ＤＶＤ」、「ＶＣＲ」、「ＤＴＴ」のいずれかを選択すれば、前記選択された構成に対するメニューとサブメニューもやはり英語で表示される。
【００６８】
前記コンボシステムのユーザがカーソルを「Ｌａｎｇｕａｇｅ」に移動させた後「ＯＫ」キーを操作したり、ナビゲーションキーを操作して前記「Ｌａｎｇｕａｇｅ」を再設定することができる。図６には前記コンボシステムのユーザが前記「Ｌａｎｇｕａｇｅ」を再設定するために「ＯＫ」キーを操作した後の画面が図示されている。
【００６９】
前記コンボシステムのユーザは前記ナビゲーションキーを操作して希望する「Ｌａｎｇｕａｇｅ」を再設定する。前記ユーザが再設定した「Ｌａｎｇｕａｇｅ」は前述したよう「ＤＶＤ」、「ＶＣＲ」、「ＤＴＴ」にも同一に適用される。
【００７０】
以上、図面を参照して本発明の好適な実施形態を図示および説明してきたが本発明の保護範囲は、前述の実施形態に限定するものではなく、特許請求の範囲に記載された発明とその均等物にまで及ぶものである。
【産業上の利用可能性】
【００７１】
本発明における技術的な思想により、少なくとも３つの構成部を有するコンボシステムは１つのキー操作で前記少なくとも３つの構成部のメニューを再設定することができるようになる。
【図面の簡単な説明】
【００７２】
【図１】ＶＣＲ部とＤＶＤＰ部から構成されたコンボシステムの概略的な構造を示した図である。
【図２】図１に示したコンボシステムの詳細構造を示した図である。
【図３】本発明に係るＶＣＲ部、ＤＶＤＰ部、ＤＴＴ部から構成されたコンボシステムの構造を示した図である。
【図４】本発明に係るＶＣＲ部とＤＶＤＰ部、ＤＴＴ部から構成されたコンボシステムの操作部（リモコン部）の構造を示した図である。
【図５】本発明に係る「ＳＥＴＵＰ」のメニューを示した図である。
【図６】本発明に係る「Ｌａｎｇｕａｇｅ」のメニューを示した図である。
【符号の説明】
【００７３】
３００    ＤＴＴ部
３２０    ＤＶＤＰ部
３４０    ＶＣＲ部
３０８    ＤＴＴ部
３１０    ＤＴＴメモリ部
３１２    ＤＴＴメニュー格納部
３２８    ＤＶＤ制御部
３３０    ＤＶＤメモリ部
３３２    ＤＶＤメニュー格納部
３４８    ＶＣＲ制御部
３５０    ＶＣＲメモリ部
【図１】
2005260924.tif 000004
【図２】
2005260924.tif 000005
【図３】
2005260924.tif 000006
【図４】
2005260924.tif 000007
【図５】
2005260924.tif 000008
【図６】
2005260924.tif 000009